【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
本体部の後方端に回動可能に取り付けられ、情報を画像表示する表示部を備えた携帯型情報処理装置であって、
前記本体部の後方端底面からその後方側面にかけて延長した形状のゴム足を有し、前記本体部に対して表示部を９０度以上回動して開いた場合、前記表示部の角が前記本体部の後方側面に延長されたゴム足部分に当接するように構成したことを特徴とする携帯型情報処理装置。
【手続補正２】
【補正対象書類名】明細書
【補正対象項目名】全文
【補正方法】変更
【補正の内容】
【発明の詳細な説明】
【発明の名称】携帯型情報処理装置
【技術分野】
【０００１】
本発明は、表示部を誤って開き過ぎても損傷されないようにしたノートパソコンのような携帯型情報処理装置（以下、総称してノートパソコンという）に関する。
【背景技術】
【０００２】
近年、パーソナルコンピュータでもノートパソコンのような携帯性にすぐれた情報機器が一般的である。また、携帯性に優れているが故に軽量コンパクトに設計されており、机上で使用する場合にはＡＣ電源を使うことも多く、誤ってＡＣ電源のコードをひっかけて机上から落下し、破損してしまう場合も少なくない。そこでノートパソコンだけでなく一般の電子機器には上記のようなことがないように滑り止めとしてゴム足を機器の底面に配置している。またこのゴム足は机のような家具にキズをつけないようにする機能、あるいは精密機器の場合では周囲の振動から機器を保護する機能、逆に機器から発生する無用な振動を設置場所や周囲に伝えにくくする機能をも備えている。
【０００３】
以下に従来のノートパソコンのゴム足の構造ついて説明する。
【０００４】
図４は従来のノートパソコンを模式的に示した側面図である。
【０００５】
図４において、１１はノートパソコン本体部、１２は液晶表示パネルに文字や画像を表示するノートパソコンの表示部であり、１３はノートパソコンの滑り落下を防止する一対の前方ゴム足、１５は同じくノートパソコンの滑り落下を防止する一対の後方ゴム足である。なお、ノートパソコンを側面から図示しているため、前方ゴム足１３，後方ゴム足１５は一対であることはこの図では図示していない。
【０００６】
図４（ａ）は表示部１２を閉じてノートパソコンを使用しない状態、図４（ｂ）は表示部１２を開いてノートパソコンを使用する状態を示す。
【０００７】
図５はノートパソコンを机などの台に載置する際に、誤ってノートパソコン本体部１１の後方角を机の面にぶつけてしまった場合を図示したものである。
【０００８】
ノートパソコンは図４（ａ）のように表示部１２を閉じた状態から、図４（ｂ）のように表示部１２を開いて使用する状態にする。
【０００９】
特許文献１には、キーボードを立てかけても滑らないようにゴム足を設けることが記載され、また、特許文献２には、各種器具類の脚について記載されている。
【特許文献１】実開平４−１０８２２７号公報
【特許文献２】実開昭５９−３２９９３号公報
【発明の開示】
【発明が解決しようとする課題】
【００１０】
しかしながら上記の従来のノートパソコンの構成では、以下のような課題を有している。
【００１１】
一般にはノートパソコンは図４（ｂ）のように表示部１２を９０度以上開いて使用するが、誤って表示部１２を開き過ぎてしまうと本体部１１の後方側面をキズつけたり、ノートパソコン本体部１１の筐体が割れたりすることもある。
【００１２】
また、ノートパソコンを机などの台に載置する場合には、ノートパソコンの前方を片手で持った状態で載置することが多い。このとき図５のように誤ってノートパソコン本体部１１の後方角を机の面にぶつけてしまいノートパソコン本体部１１の筐体を痛めることにもなる。あるいはノートパソコン本体部１１内に内蔵された多くの磁気データが記録されているハードディスクドライブ（ＨＤＤ）のディスク面をデータ記録中である場合には、その衝撃により磁気ヘッドがそれにあたってキズつけたり、磁気データが消えてしまったり、あるいは読み出せなくなってしまうこともある。
【００１３】
本発明は上記従来の問題点を解決するもので、ノートパソコンの後方ゴム足を本体部後方底面から後方側面にかけて延長した形状にすることで、ノートパソコンの滑り落下を防止する滑り止め部材としてだけではなく、表示部を誤って開き過ぎてもその表示部の角が本体部の後方側面まで延長された後方ゴム足に先に当たるようにしたことにより、本体部の後方側面がキズついたり、割れたりすることがないようにしたものである。
【課題を解決するための手段】
【００１４】
本発明は、本体部の後方端に回動可能に表示部を備えた携帯型情報処理装置であって、前記本体部の後方端底面からその後方側面にかけて延長した形状のゴム足を有し、前記本体部に対して表示部を９０度以上回動して開いた場合、前記表示部の角が前記本体部の後方側面に延長されたゴム足部分に当接するように構成したもので、表示部を誤って開き過ぎても本体部の後方側面がキズついたり割れたりすることがないものである。
【発明の効果】
【００１５】
以上のように本発明によれば、ノートパソコンの後方ゴム足を本体部後方底面から後方側面にかけて延長した形状にすることで、ノートパソコンの滑り落下を防止する滑り止め部材としてだけではなく、表示部を誤って開き過ぎてもその表示部の角が本体部の後方側面まで延長された後方ゴム足に先に当たるようにしたことにより、本体部の後方側面がキズついたり、割れたりすることがなくなる。また、ノートパソコンを机などの台に載置する場合にも、誤ってノートパソコンの後方角を机の面にぶつけてもその衝撃は和らげられ、ノートパソコン本体部の筐体を痛めたり、ノートパソコン本体部内に内蔵されたＨＤＤのディスクの面を衝撃から保護するという優れた効果が得られる。
【発明を実施するための最良の形態】
【００１６】
以下、本発明の実施の形態について、図１から図３を用いて説明する。
【００１７】
（実施の形態１）
図１は本発明のノートパソコンの底面の外観斜視図である。
【００１８】
図２は本発明のノートパソコンを模式的に示した側面図である。
【００１９】
図１、図２において、１１はノートパソコン本体部、１２は液晶表示パネルに文字や画像を表示するノートパソコンの表示部であり、１３はノートパソコンの滑り落下を防止する一対の前方ゴム足、１４は同じくノートパソコンの滑り落下を防止する一対の後方ゴム足である。なお、図２ではノートパソコンを側面から図示しているため、前方ゴム足１３，後方ゴム足１４は一対であることはこの図では図示していない。
【００２０】
図２（ａ）は表示部１２を閉じてノートパソコンを使用しない状態、図２（ｂ）は表示部１２を開いてノートパソコンを使用する状態を示す。
【００２１】
図２において図４と異なる点は、後方ゴム足１４はノートパソコン本体部１１の後方底面から後方側面にかけて延長した形状となっており、かつ、図２（ｂ）のように表示部１２を９０度以上開いた場合、表示部１２の角１６がノートパソコン本体部１１の後方側面まで延長された後方ゴム足１４に先に当たるようになっている。
【００２２】
図３は本発明のノートパソコンのゴム足がノートパソコンを保護する機能も有することを示した図である。
【００２３】
以上のように構成されたノートパソコンと滑り止め部材であるゴム足の構造と機能について詳細に説明する。
【００２４】
図２（ａ）のようにノートパソコンの表示部１２を閉じた状態から、図２（ｂ）のように表示部１２を開いてノートパソコンを使用する状態にする。後方ゴム足１４は図２のようにノートパソコン本体部１１の後方底面から後方側面にかけて延長した形状となっているために、図２（ｂ）のように表示部１２を９０度以上開いても表示部１２の角１６が本体部１１の後方側面まで延長された後方ゴム足１４に先に当たるため表示部１２を誤って開き過ぎてもノートパソコン本体部１１の後方側面がキズついたり割れたりすることはない。
【００２５】
また、ノートパソコンを机などの台に載置する場合には、ノートパソコンの前方を片手で持った状態で載置することが多い。このとき誤ってノートパソコンの後方角を机の面にぶつけても図３のようにノートパソコン本体部１１の後方側面にかけて延長した後方ゴム足１４によりその衝撃は和らげられ、ノートパソコン本体部１１の筐体を痛めることは少なくなるとともに、ノートパソコン本体部１１内に内蔵された多くの磁気データが記録されているハードディスクドライブ（ＨＤＤ）のディスク面を衝撃から保護する役割も果たす。
【００２６】
以上のように本実施の形態のノートパソコンのゴム足構造によれば、ノートパソコンの滑り落下を防止する滑り止め部材としてだけではなく、表示部を誤って開き過ぎてもノートパソコン本体部の後方側面がキズついたり割れたりすることはない。また、ノートパソコンを机などの台に載置する場合に、誤ってノートパソコンの後方角を机の面にぶつけてもその衝撃は和らげられ、ノートパソコン本体部の筐体を痛めることは少なくなるとともに、ノートパソコン本体部内に内蔵されＨＤＤのディスクの面を衝撃から保護する役割も果たす。
【００２７】
なお、以上の説明では前方ゴム足１３，後方ゴム足１４は一対であるとしたがそれ以上、つまり前方ゴム足１３、後方ゴム足１４はそれぞれ３以上であっても良いし、それぞれが同じ数である必要もない。さらに、前方ゴム足１３、後方ゴム足１４をそれぞれノートパソコンの幅方向に延ばした横長のゴム足形状にしても良い。
【００２８】
また、ノートパソコンに関して説明したが、ノートパソコンに限るものではなく、他の表示部が回動して開閉する携帯型情報機器、計測器、電子機器、例えば携帯型の表示装置を備えたＤＶＤプレイヤ、表示部を備えた計測器、移動が可能なカーナビであっても良い。
【００２９】
また、ゴム足の材料は熱可塑性エラストマー（ＴＰＥ）が好適であるが、他のゴム材料であってもよいことは言うまでもない
【産業上の利用可能性】
【００３０】
本発明は、ノートパソコンのような携帯型情報処理装置の滑り落下を防止するだけでなく、表示部を誤って開き過ぎてもノートパソコン本体部の後方側面がキズついたり割れたりすることがなくなるため、有用である。
【図面の簡単な説明】
【００３１】
【図１】本発明のノートパソコンの底面の外観斜視図
【図２】本発明のノートパソコンを模式的に示した側面図
【図３】本発明のノートパソコンのゴム足がノートパソコンを保護する機能も有することを示す側面図
【図４】従来のノートパソコンを模式的に示した側面図
【図５】誤ってノートパソコンの後方角を机の面にぶつけてしまった場合を示す側面図
【符号の説明】
【００３２】
１１  ノートパソコン本体部
１２  ノートパソコン表示部
１３  前方ゴム足
１４、１５  後方ゴム足